(57)【要約】【課題】使用時に剥離紙をごみとして発生させない。【解決手段】線糊１１ａを介して第一、二葉１１、１２を分離可能に接着し、粘着剤１３ａを介して第三葉１３を剥離可能に接着する。剥離紙を全く含まないので、第三葉１３を剥離して使用する際に、剥離紙がごみとして発生することがない。【選択図】  図２
2004167892.tif 000002
【特許請求の範囲】
【請求項１】
長方形の第一葉と、一辺が前記第一葉の短辺と同長の長方形の第二葉と、一辺が前記第一葉の短辺と同長であり、前記第二葉より小さい長方形の第三葉とを下から上に順に重ね合わせてなり、前記第一、二、三葉は、感圧複写紙であり、前記第一、二葉は、それぞれの同長の一辺を分離可能に接着し、前記第三葉は、前記第一、二葉を接着する接着辺と同長の一辺に沿って粘着剤を塗布し、該粘着剤側の一辺を前記接着辺に合わせて剥離可能に接着することを特徴とする複写伝票。
【請求項２】
前記第二葉には、前記粘着剤に対向するようにして剥離剤を塗布することを特徴とする請求項１記載の複写伝票。
【請求項３】
前記第一、二葉は、線糊を介して接着することを特徴とする請求項１または請求項２記載の複写伝票。
【請求項４】
前記第二葉は、前記第一葉より小さくすることを特徴とする請求項１ないし請求項３のいずれか記載の複写伝票。
【請求項５】
前記第二葉は、前記第一葉と同形同大とすることを特徴とする請求項１ないし請求項３のいずれか記載の複写伝票。
【請求項６】
前記第一葉は、前記第二、三葉のいずれよりも坪量を大きくすることを特徴とする請求項１ないし請求項５のいずれか記載の複写伝票。
【請求項７】
請求項１ないし請求項６のいずれか記載の複写伝票を使用し、前記第一葉は、配達元への連絡用葉書として形成し、前記第二葉は、受取人に残す控シートとして形成し、前記第三葉は、配達物品に貼付する管理用ラベルとして形成することを特徴とする配達物品の管理伝票。
【発明の詳細な説明】
【０００１】
【発明の属する技術分野】
この発明は、剥離紙を含まず、使用時に剥離紙がごみとして発生することがない複写伝票と、それを使用する配達物品の管理伝票に関する。
【０００２】
【従来の技術】
書留郵便物や小包郵便物などの普通郵便物以外の郵便物は、受取人に手渡して配達することが必要であり、受取人宅が留守であると配達不能となってしまう。そこで、このような場合、配達不能の郵便物があった旨を通知する伝票を受取人宅の郵便受に残すとともに、郵便物を配達元に持ち帰って一時保管する必要があり、そのための専用の管理伝票が使用されている。
【０００３】
従来の管理伝票は、３枚組のカーボン複写伝票である。最も上の用紙は、下面の全面に粘着剤が塗布されたタック紙（粘着紙）であり、粘着剤は、複写用のカーボンを印刷した剥離紙によって保護されている。なお、剥離紙は、切込線が入っており、切込線を介して一部のみを剥離することもできる。そこで、配達員は、最も上のタック紙に必要事項を記入して全用紙に複写した後、タック紙を分離して剥離紙の一部または全部を除去し、郵便物の表面に貼付するとともに、他の用紙を受取人宅の郵便受に投入して、郵便物を配達元の郵便局に持ち帰り、保管する。帰宅した受取人は、郵便受に残された用紙を見て配達元の郵便局に連絡し、後日の受取方法を決定することができ、このとき、郵便受に残された２枚のうちの１枚を控シートとし、他の１枚を配達元への連絡用葉書として使用することも可能である。
【０００４】
【発明が解決しようとする課題】
かかる従来技術によるときは、管理伝票は、タック紙を郵便物に貼付する際に剥離紙の一部または全部がごみとして発生するため、環境保全上不都合であり、特に集合住宅のように多数の郵便受が集中して設置されている場合、剥離紙が散乱して住民から苦情が発生することにもなりかねないという問題があった。また、剥離紙の剥離作業は、微妙な指先作業であるため、手袋をしていることが常態の配達員にとって、極めて煩雑であるという問題もあった。
【０００５】
そこで、この発明の目的は、かかる従来技術の問題に鑑み、剥離紙を使用することなく構成することによって、剥離紙に伴う一連の問題を一掃することができる複写伝票と、それを使用する配達物品の管理伝票を提供することにある。
【０００６】
【課題を解決するための手段】
かかる目的を達成するためのこの出願に係る第１発明の構成は、長方形の第一葉と、一辺が第一葉の短辺と同長の長方形の第二葉と、一辺が第一葉の短辺と同長であり、第二葉より小さい長方形の第三葉とを下から上に順に重ね合わせてなり、第一、二、三葉は、感圧複写紙であり、第一、二葉は、それぞれの同長の一辺を分離可能に接着し、第三葉は、第一、二葉を接着する接着辺と同長の一辺に沿って粘着剤を塗布し、粘着剤側の一辺を接着辺に合わせて剥離可能に接着することをその要旨とする。ただし、ここでいう長方形とは、正方形を含むものとする。また、感圧複写紙とは、カーボン複写紙、ノーカーボン複写紙の双方を含むものとする。
【０００７】
なお、第二葉には、粘着剤に対向するようにして剥離剤を塗布することができ、第一、二葉は、線糊を介して接着することができる。ただし、線糊とは、細い連続線状または点線状に塗布した糊をいう。
【０００８】
また、第二葉は、第一葉より小さくしてもよく、第一葉と同形同大としてもよい。
【０００９】
さらに、第一葉は、第二、三葉のいずれよりも坪量を大きくすることができる。
【００１０】
第２発明の構成は、第１発明に係る複写伝票を使用し、第一葉は、配達元への連絡用葉書として形成し、第二葉は、受取人に残す控シートとして形成し、第三葉は、配達物品に貼付する管理用ラベルとして形成することをその要旨とする。
【００１１】
【作用】
かかる第１発明の構成によるときは、第一、二、三葉は、あらかじめ一体の複写伝票を形成しているから、最も上の第三葉に必要事項を記入することにより、それを第一、二葉に転写することができる。一方、第三葉は、第一、二葉を接着する接着辺と同長の一辺に沿って粘着剤を塗布し、粘着剤を介して第二葉上に剥離可能に接着されているから、第一、二葉から簡単に剥離し、配達不能な郵便物を含む任意の物品に貼付して、物品の管理用ラベルとして使用することができ、このとき、剥離紙を剥離したり、それに起因してごみが発生したりすることが全くない。
【００１２】
第三葉側の粘着剤に対向するようにして第二葉上に剥離剤を塗布することにより、第三葉の物品に対する粘着力と、第二葉から第三葉を剥離する際に要する剥離力との双方を容易に最適に設定することができる。
【００１３】
すなわち、第一、二葉を接着する接着辺の長さ１００ｍｍ、第二、三葉を坪量５０ｇ／ｍ２程度のノーカーボン紙とするとき、粘着剤は、水性エマルジョンタイプの合成樹脂粘着剤を使用して塗布幅を約１０ｍｍとし、第三葉の剥離力７０〜１８０ｇ（目標値１００ｇ）前後とすることが好ましい。剥離力が小さ過ぎると、第三葉が使用前に第二葉から剥がれて分離してしまうおそれがあり、剥離力が過大であると、第三葉の剥離時に第三葉に極端なカールが発生する。一方、第二葉から剥離した第三葉を種々の物品に貼付することを考慮して、第三葉の物品に対する粘着力は、たとえばクラフト紙製の封筒に対し、２００〜５００ｇ（目標値３００ｇ）前後に設定することが好ましい。粘着力が小さ過ぎると、第三葉が物品から簡単に剥がれてしまい、過大であると、物品から取り外す際に破れが発生するおそれがある。なお、物品に対する粘着力は、粘着剤の種類、単位面積当りの塗布量、塗布幅などを加減することにより、任意に調節することができる。
【００１４】
第一、二葉は、線糊を介して接着することにより、分離可能に接着することができる。なお、糊は、コロイド系またはエマルジョン系の化学糊であって、第一、二葉を接着する接着辺の直近位置に、幅約１ｍｍ前後の線状に塗布することが好ましい。また、線糊は、第一、二葉の一方に施し、他方を重ね合わせることにより両者を接着する。
【００１５】
第二葉は、第一葉より小さくしてもよく、第一葉と同形同大としてもよい。前者の場合、第二葉の下の第一葉の一部を外部に露出させ、第一葉の存在をより確実に受取人に認識させることができ、後者の場合、第二葉の有効面積を大きくし、より多くの情報を上面に記載することができる。
【００１６】
第一葉は、第二、三葉のいずれよりも坪量を大きくすることにより、たとえば配達物品の配達元への連絡用葉書や、荷物預り所における荷物の整理用カードなどとして、一層便利に使用することができる。なお、第一葉は、坪量１００〜１５０ｇ／ｍ２程度の紙を使用することが好ましい。
【００１７】
第２発明の構成によるときは、第一葉を配達元への連絡用葉書として形成し、第二葉を控シートとして形成し、第三葉を管理用ラベルとして形成することにより、配達不能の郵便物や、配達不能の宅配便荷物のような配達物品の管理用に便利に使用することができる。
【００１８】
【発明の実施の形態】
以下、図面を以って発明の実施の形態を説明する。
【００１９】
複写伝票は、長方形の第一葉１１と、第一葉１１と同形同大の第二葉１２と、一辺が第一葉１１の短辺と同長であり、第二葉１２より小さい長方形の第三葉１３とを下から上に重ね合わせてなる（図１、図２）。ただし、図示の複写伝票は、配達不能の郵便物の管理伝票として形成されている。また、第一、二、三葉１１、１２…は、３枚組のノーカーボンの感圧複写紙となっている。
【００２０】
第一、二葉１１、１２は、それぞれの同長の一辺、すなわち一方の短辺に沿う線糊１１ａを介して分離可能に接着されている。また、第三葉１３は、第一、二葉１１、１２を接着する接着辺と同長の一辺に沿って粘着剤１３ａを下面に帯状に塗布し、粘着剤１３ａ側の一辺を接着辺に合わせて、第二葉１２の上面に剥離可能に接着されている。ただし、第二葉１２の上面には、第三葉１３側の粘着剤１３ａに対向するようにして、剥離剤１２ａが帯状に塗布されており、第三葉１３は、粘着剤１３ａを介し、剥離剤１２ａ上に接着されている。なお、剥離剤１２ａは、粘着剤１３ａより広幅に塗布されており、したがって、粘着剤１３ａは、第二葉１２上に直接接着することがない。
【００２１】
そこで、第一、二葉１１、１２は、四辺を揃えて重ね合わせ、線糊１１ａを介して接着されており、第三葉１３は、粘着剤１３ａ側の一辺を含む三辺を第一、二葉１１、１２に揃えて重ね合わせ、粘着剤１３ａを介して第二葉１２に接着されている。すなわち、第一、二、三葉１１、１２…は、全体として一体に接着されている。
【００２２】
第三葉１３の上面には、表題文字１３ｂの他、図示しない管理番号が印字され、日時、配達員名、受取人名、差出人名、郵便物の保管期限などの図示しない記入欄が印刷されている。なお、管理番号は、第二葉１２、第一葉１１にも複写され、表題文字１３ｂを含む第三葉１３上の各記入欄も、第二葉１２、第一葉１１上に、第三葉１３と同位置に同一体裁で印刷されている（図３）。ただし、図３（Ａ）、（Ｂ）は、それぞれ第三葉１３の上面、下面を示し、同図（Ｃ）は、第一葉１１とともに、第二葉１２の上面を示している。そこで、第三葉１３上の各記入欄の記入事項は、第二葉１２、第一葉１１にもそのまま複写される。
【００２３】
第二葉１２の上面には、郵便物の種類を選択して明示する欄が第三葉１３から露出する部分に印刷されており、第一葉１１の上面にも、同様の欄が同位置に印刷されている。そこで、第二葉１２上において郵便物の種類を選択して記入すると、その情報は、そのまま第一葉１１にも複写される。なお、第二葉１２の上面には、受取人に対する諸注意事項が併せて印刷されている。
【００２４】
第一葉１１の上面には、受取人が記入する希望受取条件の記入欄が印刷されている。また、第一葉１１の下面には、配達元の郵便局の宛名、受取人への指示事項、連絡電話番号などが表示されている。
【００２５】
受取人に手渡しして配達すべき郵便物Ａの受取人宅が留守の場合、配達員は、第三葉１３の記入欄に所定事項を記入し、第二葉１２上の欄を使用して郵便物Ａの種類を明示した上、第三葉１３を剥離し、粘着剤１３ａを介して郵便物Ａに貼付する（図４）。ただし、第三葉１３上の記入事項は、第二葉１２、第一葉１１に複写され、第二葉１２上の記入事項は、第一葉１１に複写されている。そこで、配達員は、第一、二葉１１、１２をそのまま受取人宅の郵便受に投入し、郵便物Ａを配達元に持ち帰って保管する。
【００２６】
帰宅した受取人は、郵便受の第一、二葉１１、１２を見て郵便物Ａの到達を知り、第二葉１２を第一葉１１から分離させ、第一葉１１に希望受取条件などを記入して投函すると、第一葉１１は、配達元の郵便局に到達し、郵便物Ａは、希望受取条件に従って処理される。なお、受取人は、後日の受取の際の証として、第二葉１２をそのまま手元に残しておく。
【００２７】
すなわち、図１〜図４において、複写伝票は、配達不能の郵便物Ａの管理伝票として使用される。また、第一葉１１は、配達元への連絡用葉書として形成され、第二葉１２は、受取人に残す控シートとして形成され、第三葉１３は、郵便物Ａに貼付する管理用ラベルとして形成されている。
【００２８】
かかる複写伝票は、第一葉１１、１１…を横方向に連続的に印刷するロール紙Ｐ１  、第二葉１２、１２…を横方向に連続的に印刷するロール紙Ｐ２  、第三葉１３、１３…を横方向に連続的に印刷するロール紙Ｐ３  を順に所定位置に重ね合わせ（図５）、連続的に走行させて製造することができる（同図の矢印Ｂ方向）。なお、ロール紙Ｐ１  の上面上端には、ロール紙Ｐ２  を重ね合わせる直前に、ノズルガンを用いて線糊１１ａを連続的に施し、ロール紙Ｐ２  の上面上端部、ロール紙Ｐ３  の下面上端部には、ロール紙Ｐ２  、Ｐ３  を重ね合わせる直前に、それぞれ剥離剤１２ａ、粘着剤１３ａを連続的にフレキソ印刷するものとする。順に正確に重ね合わせて接着されたロール紙Ｐ１  、Ｐ２  …は、切断線Ｐａ  ごとに所定幅に切り離し、枚葉の複写伝票に仕上げればよい。
【００２９】
以上の説明において、複写伝票は、郵便物Ａの他、たとえば宅配便荷物などの任意の配達物品の管理伝票として、全く同様に使用することができる。また、複写伝票は、荷物預り所などにおいて、預った荷物の管理用にも使用可能である。すなわち、第三葉１３は、荷物に貼付する管理用ラベルとし、第二葉１２は、預け人（荷物の持主）に渡す控シートとし、第一葉１１は、預った荷物の保管場所などを速やかに探索して指示するための整理用カードとして使用することができる。
【００３０】
なお、第二葉１２は、第一葉１１と同形同大とするに代えて、第一葉１１より小さい長方形に形成してもよい。ただし、このときの第二葉１２は、一辺を第一葉１１の短辺と同長とし、第一、二葉１１、１２は、それぞれの同長の一辺を含む三辺を揃えて重ね合わせ、同長の一辺を線糊１１ａによる接着辺とすればよい。
【００３１】
また、第一葉１１の下面には、必要に応じて、一枚以上の別葉を個別に分離可能に付加して接着してもよい。なお、このときの別葉は、第一葉に対し、個別の線糊を介して接着してもよく、いわゆる背糊（天糊）を介して第一、二葉１１、１２とともに一挙に接着してもよい。
【００３２】
【発明の効果】
以上説明したように、この出願に係る第１発明によれば、剥離紙を使用しないで構成することによって、第三葉を剥離して使用する際に、剥離紙がごみとして発生することがない上、剥離紙の剥離作業も不要であるから、剥離紙に伴う一連の問題を一掃することができ、製作コストも低く抑えることができるという優れた効果がある。
【００３３】
第２発明によれば、第１発明に係る複写伝票を使用することによって、郵便物を含む任意の配達物品の配達業務を行うに際し、第１発明の効果をそのまま実現することができる。
【図面の簡単な説明】
【図１】全体構成上面図
【図２】全体拡大縦断面模式図
【図３】部分構成説明図
【図４】使用状態を示す要部拡大断面模式図
【図５】製造過程を示す模式上面図
【符号の説明】
１１…第一葉
１１ａ…線糊
１２…第二葉
１２ａ…剥離剤
１３…第三葉
１３ａ…粘着剤
【図１】
2004167892.tif 000003
【図２】
2004167892.tif 000004
【図３】
2004167892.tif 000005
【図４】
2004167892.tif 000006
【図５】
2004167892.tif 000007